(57)【要約】【課題】画質低下問題を改善し、また、ＬＣＤモジュールの部品数を減らすことができるＬＣＤモジュールのソース駆動集積回路及びこれを用いたソース駆動システムの提供。【解決手段】  ソース駆動集積回路チップが含む電圧出力部は、ガンマ補正電圧発生部の一側から入力される自己ガンマ補正電圧をバッファーリングしてバッファーリング自己ガンマ補正電圧をソース駆動集積回路チップの外部へ出力するガンマバッファー部、ガンマ補正電圧発生部の他側から出力される他ガンマ補正電圧たるバッファーリング他ガンマ補正電圧とバッファーリング自己ガンマ補正電圧とをソース駆動集積回路チップ外から入力されてデータレジスターからのデジタルデータ信号をアナログデータ信号に変換し出力する出力Ｄ/Ａコンバーター、及び出力Ｄ/Ａコンバーターからのアナログデータ信号をソースライン駆動用の駆動電圧に変換し出力する出力駆動回路を備える。【選択図】        図12
2005345808.tif 000002
【特許請求の範囲】
【請求項１】
ＬＣＤパネルのソースラインを駆動するための駆動電圧を出力する電圧出力部を含むソース駆動集積回路チップにおいて、
前記電圧出力部は、
ガンマ補正電圧発生部の一側から入力される自己ガンマ補正電圧をそれぞれバッファーリングしてバッファーリング自己ガンマ補正電圧を前記ソース駆動集積回路チップの外部へ出力するガンマバッファー部、
前記ガンマ補正電圧発生部の他側から出力される他ガンマ補正電圧に該当するバッファーリング他ガンマ補正電圧と前記バッファーリング自己ガンマ補正電圧を前記ソース駆動集積回路チップの外部から入力されることにより、データレジスターから入力されるデジタルデータ信号をアナログデータ信号に変換し出力する出力Ｄ/Ａコンバーター、及び
前記出力Ｄ/Ａコンバーターから入力されるアナログデータ信号を前記ＬＣＤパネルのソースラインを駆動するための駆動電圧に変換し出力する出力駆動回路
を含むことを特徴とするＬＣＤモジュールのソース駆動集積回路。
【請求項２】
前記ガンマバッファーは、 一つ以上のガンマバッファーを有することを特徴とする請求項１に記載のＬＣＤモジュールのソース駆動集積回路。
【請求項３】
前記出力Ｄ/Ａコンバーターは、
前記バッファーリング自己ガンマ補正電圧及びバッファーリング他ガンマ補正電圧を分配抵抗により電圧分配することにより、分配ガンマ電圧を出力するレジスターアレイ、及び
前記分配ガンマ電圧を入力されてスイッチングすることにより、前記デジタルデータ信号を前記アナログデータ信号にそれぞれ変換するスイッチアレイを有するスイッチアレイ部
を含むことを特徴とする請求項１に記載のＬＣＤモジュールのソース駆動集積回路。
【請求項４】
前記出力駆動回路は、前記スイッチアレイと１対１対応する多数の出力バッファーを備えて前記スイッチアレイから入力されたアナログデータ信号を前記駆動電圧に変換し出力すべく成してあることを特徴とする請求項３に記載のＬＣＤモジュールのソース駆動集積回路。
【請求項５】
同一の内部構造を有する第1ソース駆動集積回路チップと第ｎソース駆動集積回路チップとを含むＬＣＤモジュールのソース駆動集積回路を用いたソース駆動システムにおいて、
前記第1ソース駆動集積回路チップは、
ガンマ補正電圧発生部の一側から入力される自己ガンマ補正電圧をそれぞれバッファーリングしてバッファーリング自己ガンマ補正電圧を前記第1ソース駆動集積回路チップの外部へ出力するガンマバッファー部、
前記ガンマ補正電圧発生部の他側から出力される他ガンマ補正電圧に該当するバッファーリング他ガンマ補正電圧と前記バッファーリング自己ガンマ補正電圧を前記第1ソース駆動集積回路チップの外部から入力されることにより、データレジスターから入力されるデジタルデータ信号をアナログデータ信号に変換し出力する出力Ｄ/Ａコンバーター、及び
前記出力Ｄ/Ａコンバーターから入力されるアナログデータ信号を前記ＬＣＤパネルのソースラインを駆動するための駆動電圧に変換し出力する出力駆動回路
を備える電圧出力部を含み、
前記第ｎソース駆動集積回路チップは、
前記ガンマ補正電圧発生部の他側から出力される他ガンマ補正電圧をバッファーリングして前記バッファーリング他ガンマ補正電圧を前記第1ソース駆動集積回路チップへ出力するガンマバッファー部、
前記第1ソース駆動集積回路チップのバッファーリング自己ガンマ補正電圧と前記第ｎソース駆動集積回路チップの外部へ出力されたバッファーリング他ガンマ補正電圧を入力されることにより、データレジスターから入力されるデジタルデータ信号をアナログデータ信号に変換し出力する出力Ｄ/Ａコンバーター、及び
前記出力Ｄ/Ａコンバーターから入力されるアナログデータ信号を前記ＬＣＤパネルのソースラインを駆動するための駆動電圧に変換し出力する出力駆動回路
を備える電圧出力部を含む
ことを特徴とするＬＣＤモジュールのソース駆動集積回路を用いたソース駆動システム。
【請求項６】
前記第1ソース駆動集積回路チップのガンマバッファー部は、一つ以上のガンマバッファーを有し、前記ガンマバッファーが前記バッファーリング自己ガンマ補正電圧を出力すべく成してあることを特徴とする請求項５に記載のＬＣＤモジュールのソース駆動集積回路を用いたソース駆動システム。
【請求項７】
前記第ｎソース駆動集積回路チップのガンマバッファー部は、一つ以上のガンマバッファーを有し、前記ガンマバッファーが前記バッファーリング他ガンマ補正電圧を出力すべく成してあることを特徴とする請求項５又は６に記載のＬＣＤモジュールのソース駆動集積回路を用いたソース駆動システム。
【請求項８】
同一の内部構造を有する第1ソース駆動集積回路チップ、第２ソース駆動集積回路チップ、及び第ｎソース駆動集積回路チップを含むＬＣＤモジュールのソース駆動集積回路を用いたソース駆動システムにおいて、
前記第1ソース駆動集積回路チップは、
ガンマ補正電圧発生部の一側から入力される自己ガンマ補正電圧をそれぞれバッファーリングしてバッファーリング自己ガンマ補正電圧を前記第1ソース駆動集積回路チップの外部へ出力するガンマバッファー部、
前記ガンマ補正電圧発生部の他側から出力される他ガンマ補正電圧に該当するバッファーリング他ガンマ補正電圧と前記バッファーリング自己ガンマ補正電圧を前記第1ソース駆動集積回路チップの外部から入力されることにより、データレジスターから入力されるデジタルデータ信号をアナログデータ信号に変換し出力する出力Ｄ/Ａコンバーター、及び
前記出力Ｄ/Ａコンバーターから入力されるアナログデータ信号を前記ＬＣＤパネルのソースラインを駆動するための駆動電圧に変換し出力する出力駆動回路
を備える電圧出力部を含み、
前記第ｎソース駆動集積回路チップは、
前記ガンマ補正電圧発生部の他側から出力される他ガンマ補正電圧をバッファーリングして前記バッファーリング他ガンマ補正電圧を前記第1ソース及び第２ソース駆動集積回路チップへ出力するガンマバッファー部、
前記第1ソース駆動集積回路チップのバッファーリング自己ガンマ補正電圧と前記第ｎソース駆動集積回路チップの外部から出力されたバッファーリング他ガンマ補正電圧を入力されることにより、データレジスターから入力されるデジタルデータ信号をアナログデータ信号に変換し出力する出力Ｄ/Ａコンバーター、及び
前記出力Ｄ/Ａコンバーターから入力されるアナログデータ信号を前記ＬＣＤパネルのソースラインを駆動するための駆動電圧に変換し出力する出力駆動回路
を備える電圧出力部を含み、
前記第2ソース駆動集積回路チップは、
前記第1ソース駆動集積回路チップのバッファーリング自己ガンマ補正電圧と前記第ｎソース駆動集積回路チップのバッファーリング他ガンマ補正電圧を入力されることにより、データレジスターから入力されるデジタルデータ信号をアナログデータ信号に変換し出力する出力Ｄ/Ａコンバーター、及び
前記出力Ｄ/Ａコンバーターから入力されるアナログデータ信号を前記ＬＣＤパネルのソースラインを駆動するための駆動電圧に変換し出力する出力駆動回路
を備える電圧出力部を含む
ことを特徴とするＬＣＤモジュールのソース駆動集積回路を用いたソース駆動システム。
【請求項９】
前記第2ソース駆動集積回路チップは、
一つ以上備えられることを特徴とする請求項８に記載のＬＣＤモジュールのソース駆動集積回路を用いたソース駆動システム。
【発明の詳細な説明】
【技術分野】
【０００１】
本発明は液晶表示装置(Liquid Crystal Display；以下’LCD’と呼ぶ) に関わり、特に画質を改善すると共に部品数を減らすようにしたＬＣＤモジュールのソース駆動集積回路及びこれらを用いたソース駆動システムに関するものである。
【背景技術】
【０００２】
一般に、ＬＣＤは、コラム駆動集積回路が、例えばPC(Personal Computer)内のグラフィックコントローラで処理した画像情報を内包するデジタルデータを、液晶駆動用信号に変換して液晶に印加することにより、所望する画像情報を示す表示装置である。
【０００３】
図1は、従来のＬＣＤモジュールの一例を示したブロック図である。従来のＬＣＤモジュールはソース駆動システム(100)、ソースPCB(Printed Circuit Board) ブロック(200)、ゲート駆動システム(300)、ゲートPCBブロック(400)及びＬＣＤパネル(500)からなる。
【０００４】
前記ソースＰＣＢブロック(200)は、VGA(Video Graphic Adapter)ボードから伝達された映像信号を各種信号に変換して前記ソース駆動システム(100)及びゲート駆動システム(300)へタイミング制御信号を伝送するタイミング制御部(210)と、前記ＶＧＡボードから電源を提供されて前記ソース駆動システム(100)、ゲート駆動システム(300)及びタイミング制御部(210)へ供給する電源部(220)と、該電源部(220)から電源を提供されてガンマ補正電圧(Vgma: Gamma Correction Voltage)を生成して前記ソース駆動システム(100)へ供給するガンマ補正電圧発生部(230)とを備えて構成される。
【０００５】
前記ＬＣＤパネル(500)は図示されないソースライン、ゲートライン及びピクセルを備えて画面をディスプレイする。
【０００６】
前記ソース駆動システム(100)は前記ソースPCB (200)及びＬＣＤパネル(500)と電気的に連結され、多数のソース駆動集積回路チップ(110-1l〜110-n) を備えてＬＣＤパネル(500)のソースラインを駆動する。
【０００７】
前記ゲート駆動システム(300)は前記ゲートPCBブロック(400)及びＬＣＤパネル(500)と電気的に連結され、多数のゲート駆動集積回路チップ (300-1〜300-m) を備えてＬＣＤパネル(500)のソースラインを駆動する。
【０００８】
前記ソース駆動集積回路チップ(110-1)は、図2に図示されるように、データスタート信号（EIO1,EIO2）、極性制御信号(POL)、ロード信号(LOAD)、データクロック信号(DCLK)及びダイレクション信号(Lb/R)を入力されてソース駆動集積回路チップ(110−1)全体を制御する制御部(111)、毎クロック周期に全てのビットを一つの桁を桁移りをするシフトレジスター(112)、リーバス(reverse)信号(REV1,REV2)とデジタルデータ信号(D00〜D55)を入力されるデータレジスター(113)、前記デジタルデータ信号を入力され出力する２ラインラッチ(114)及び電圧出力部(118)からなる。
【０００９】
前記電圧出力部(118)は図3に図示されたように、ガンマバッファー部(117)、出力Ｄ/Ａコンバーター(115)及び出力駆動回路(116)からなる。
【００１０】
前記ガンマバッファー部(117)は同一のガンマバッファー(117a,117b,117c)を備えて前記ガンマ補正電圧発生部(230)から供給されたガンマ補正電圧(Vgma)をバッファーリングして該バッファーリングガンマ補正電圧(Vb-gma: Buffering Gamma Correction Voltage)を出力する。
【００１１】
前記出力Ｄ/Ａコンバーター(115)は、前記バッファーリングガンマ補正電圧を分配抵抗(r1〜r63)により電圧分配して分配ガンマ電圧(V0〜V63)を出力するレジスターアレイ(115a)と、前記分配ガンマ電圧によりスイッチングすることにより、前記デジタルデータ信号をアナログデータ信号に変換するスイッチアレイ(115b-1〜115b-n)を有するスイッチアレイ部(115b)とを備える。
【００１２】
前記出力駆動回路(116)は前記スイッチアレイ(115b-1〜115b-n)と１対１対応する多数の出力バッファー(116-1〜116-n)を備え、前記アナログデータ信号を入力されて駆動電圧(OUT1〜OUTn)を前記ＬＣＤパネル(500)へ出力する。
【００１３】
図4に示すように、前記ソース駆動システム(100)の外部にあるガンマ補正電圧発生部(230)は電源部(220)からの第1及び第2入力電圧(Vin1,Vin2)を四つのガンマ補正抵抗 (R1,R2,R3,R4)により電圧分配して第1、第2及び第3ガンマ補正電圧(Vgma1,Vgma2,Vgma3)をそれぞれソース駆動集積回路チップ(110-1〜110-n)へ共通出力する。即ち、前記第1ガンマ補正電圧(Vgma1)は第1ソース駆動集積回路チップ(110−1)、第2ソース駆動集積回路チップ(110−2)、…、及び第ｎソース駆動集積回路チップ(110-n)のガンマバッファー部(117)にある第１ガンマバッファー(117a)へそれぞれ入力される。前記第2ガンマ補正電圧(Vgma2)は第1ソース駆動集積回路チップ(110−1)、第2ソース駆動集積回路チップ(110−2)、…、及び第ｎソース駆動集積回路チップ(110-n)のガンマバッファー部(117)にある第2ガンマバッファー(117ｂ)へそれぞれ入力される。 前記第３ガンマ補正電圧(Vgma3)は第1ソース駆動集積回路チップ(110−1)、第2ソース駆動集積回路チップ(110−2)、…、及び第ｎソース駆動集積回路チップ(110-n)のガンマバッファー部(117)にある第３ガンマバッファー(117ｃ)へそれぞれ入力される。
【００１４】
このように構成される従来のＬＣＤモジュールにおいては、前記ガンマ補正電圧発生部(230)がガンマ補正電圧を前記ソース駆動システム(100)のソース駆動集積回路チップ(110-1〜110-n)へ並列に供給する。この際、前記ガンマ補正電圧発生部(230)のガンマ補正抵抗の値を前記ガンマ補正電圧が前記ＬＣＤパネル(500)の固有特性に合うよう適切に調整する。
【００１５】
そして、前記ガンマ補正電圧は前記ソース駆動システム(100)のソース駆動集積回路チップ(110-1〜110-n)のガンマバッファー部(117)へそれぞれ供給され、前記ガンマバッファー部(117)から出力されたバッファーリングガンマ補正電圧(Vb-gma1,Vb-gma2,Vb-gma3)は前記レジスターアレイ(115a)へ入力される。前記レジスターアレイ(115a)はn-ビット(bit)出力Ｄ/Ａコンバーター(115)の場合、前記入力されたバッファーリングガンマ補正電圧を用いて2ｎ個の分配ガンマ電圧を前記スイッチアレイ部(115b)へ並列に供給する。
【００１６】
図3に示すように、前記スイッチアレイ部(115b)のスイッチアレイ(115b-1〜115b-n)はそれぞれ入力されたデジタルデータ信号によりレジスターアレイ(115a)から入力された2ｎ個の分配ガンマ電圧のうち、選択された一つの分配ガンマ電圧、即ち、アナログデータ信号を出力駆動回路(116)へ伝達する。前記出力駆動回路(116)の出力バッファー(116-1〜116-n)それぞれは前記選択された分配ガンマ電圧、即ち、駆動電圧(OUT1〜OUTn)をＬＣＤパネル(500)へ出力することにより、前記ＬＣＤパネル(500)のソースラインを駆動する。
【００１７】
図4に示すように、前記ソース駆動集積回路チップ(110-1〜110-n)に前記ガンマバッファー(117a,117b,117c)を内蔵するのは、前記ガンマ補正電圧発生部(230)のガンマ補正抵抗(R1,R2,R3,R4) が前記ソース駆動集積回路チップ(110-1〜110-n)のレジスターアレイ(115a)の分配抵抗の影響により前記ガンマ補正電圧が変化されることを防止するためである。
【００１８】
即ち、前記ガンマ補正電圧発生部(230)から発生されるガンマ補正電圧が、前記レジスターアレイ(115a)の抵抗から影響をうけないようにするために、前記ガンマ補正電圧発生部(230)の出力と前記レジスターアレイ(115a)の入力との間にガンマバッファー(117a,117b,117c)からなるガンマバッファー部(117)を挿入する。
【００１９】
上述したように、前記ガンマバッファー部(117)をそれぞれのソース駆動集積回路チップ(110-1〜110-n)に内蔵する場合、それぞれのガンマバッファー部(117)の特性が一致しない。即ち、前記第1ソース駆動集積回路チップ(110−1)のガンマバッファー(117a)、第2ソース駆動集積回路チップ(110−2)のガンマバッファー(117a)…、及び第ｎソース駆動集積回路チップ(110-n)のガンマバッファー(117a)間の特性が一致しない。従って、前記第1ソース駆動集積回路チップ(110−1)のガンマバッファー(117a)と第ｎソース駆動集積回路チップ(110-n)のガンマバッファー(117a)が前記ガンマ補正電圧発生部(230)から同一のガンマ補正電圧を入力されても、前記ガンマバッファー(117a)それぞれの出力間には幾らかの電圧偏差が生じられる。このような偏差によって前記第1ソース駆動集積回路チップ(110−1)の分配ガンマ電圧はそれぞれV0,V1,V2,…,V63となり、反面に前記第ｎソース駆動集積回路チップ(110-n)の分配ガンマ電圧はそれぞれV0,V1,V2,…,V63と相異なV0’,V1’,V2’,…,V63’となり得る。その結果、前記ソース駆動集積回路チップ(110-1,110-n)間にも駆動電圧の偏差が生じるので、ＬＣＤの画質が低下される。
従って、前記ソース駆動システム(100)を用いるＬＣＤから発生する画質低下問題点を解決するためにもう一つのソース駆動システムが提案された。
【００２０】
図5は従来のＬＣＤモジュールの他の構成を示したブロック図である。説明の便宜上、説明の重複を避けるために図5のソース駆動システム(120)と図1乃至図4に図示されたソース駆動システム(100)との差異点を重点的に説明することにする。
【００２１】
図5に図示されたＬＣＤモジュールは、一つのガンマバッファー部(127)が、ソース駆動システム(120)のソース駆動集積回路チップ(120-1〜120-n)に共通連結されるように、前記ソース駆動システム(120)外部のソースＰＣＢブロック(200)に配置されている。その他、図５に示すＬＣＤモジュールは、図1のガンマバッファー部(117)がソース駆動システム(100)のソース駆動集積回路チップ(110-1〜110-n)のそれぞれに内蔵配置される差異点を除いては、図1のＬＣＤモジュールと同様な構造からなる。
【００２２】
即ち、図2に図示されたソース駆動集積回路チップ(110−1)においては、電圧出力部(118)の内部にガンマバッファー部(117)が配置されたが、図6に図示されたソース駆動集積回路チップ(120−1)においては、電圧出力部(128)の外部に上記ガンマバッファー部(127)が配置された。
【００２３】
同様に、図3に図示された電圧出力部(118)のレジスターアレイ(115a)は、前記電圧出力部(118)の内部に配置されたガンマバッファー部(117)からバッファーリングガンマ補正電圧を入力されるが、図7に図示された電圧出力部(128)のレジスターアレイ(115a)は、前記電圧出力部(128)の外部に配置されたガンマバッファー部(127)からバッファーリングガンマ補正電圧を入力される。
【００２４】
以下、図8に示したソース駆動システム(120)に関し、図4に示したソース駆動システムと比較したときの差異点だけを説明する。前記ソース駆動システム(120)の外部にあるガンマ補正電圧発生部(230)から出力されたガンマ補正電圧(Vgma1,Vgma2,Vgma3)はそれぞれ前記ソース駆動システム(120)の外部にあるガンマバッファー部(127)へ入力され、前記ガンマバッファー部(127)からバッファーリングされたバッファーリングガンマ補正電圧(Vb-gma1,Vb-gma2,Vb-gma3)はそれぞれ前記ソース駆動システム(120)のソース駆動集積回路チップ(120-1〜120-n)のレジスターアレイ(115a)へ入力される。即ち、前記第1、第2及び第3バッファーリングガンマ補正電圧は第1ソース駆動集積回路チップ(120-1)、第２ソース駆動集積回路チップ(120-2)、…、及び第ｎソース駆動集積回路チップ(120-n)の出力Ｄ/Ａコンバーター(115)の内部に備えられたレジスターアレイ(115a)へそれぞれ入力される。
【００２５】
図１，２，３及び４に図示されたソース駆動システム(100)においては、多数のガンマバッファーを備えるガンマバッファー部(117)をソース駆動集積回路チップ(110-1〜110-n)内部にそれぞれ内蔵することにより、前記ガンマバッファーそれぞれの特性不一致によるソース駆動集積回路チップ(110-1〜110-n)間の出力偏差、即ち、駆動電圧偏差が発生するので、画質低下問題点が生じる。このような画質低下問題点を除去するために、図５，６，７及び８に図示されたソース駆動システム(120)においては、前記多数のガンマバッファーを備えるガンマバッファー部(127)を別途の部品で構成してソース駆動集積回路チップ(120-1〜120-n)外部にそれぞれ配置することにより、従来の画質低下に関する問題点を改善した。即ち、ガンマバッファー間の特性不一致に影響を受けないので、例えば、前記第1ソース駆動集積回路チップ(120−1)における分配ガンマ電圧がV0,V1,V2,…,V63とすると、前記第ｎソース駆動集積回路チップ(120-n)における分配ガンマ電圧もV0,V1,V2,…,V63となって電圧偏差が発生せず、またそれぞれのソース駆動集積回路チップ(120-1,120-n)間に駆動電圧の偏差も生じないので、画質低下が生じない。
【発明の開示】
【発明が解決しようとする課題】
【００２６】
しかし、別途の部品を追加に用いることにより、組立工程段階が多くなり、不良率が増加し、かつ費用が増加する問題が発生された。
【００２７】
そこで本発明は、一つの特定ガンマ補正電圧に対して一つのガンマバッファーを用いてソース駆動集積回路チップ間の駆動電圧偏差が生じないようにすることにより、画質低下問題を改善するようにすることを目的とする。
【００２８】
また、本発明は、多数個のガンマバッファーを備えるガンマバッファー部をソース駆動集積回路チップに内蔵ことにより、ＬＣＤモジュールの部品数を減らすようにすることを他の目的とする。
【課題を解決するための手段】
【００２９】
本発明は上述したような事情に鑑みてなされたものであり、本発明に係るＬＣＤモジュールのソース駆動集積回路は、ＬＣＤパネルのソースラインを駆動するための駆動電圧を出力する電圧出力部を含むソース駆動集積回路チップにおいて、前記電圧出力部は、ガンマ補正電圧発生部の一側から入力される自己ガンマ補正電圧をそれぞれバッファーリングしてバッファーリング自己ガンマ補正電圧を前記ソース駆動集積回路チップの外部へ出力するガンマバッファー部、前記ガンマ補正電圧発生部の他側から出力される他ガンマ補正電圧に該当するバッファーリング他ガンマ補正電圧と前記バッファーリング自己ガンマ補正電圧を前記ソース駆動集積回路チップの外部から入力されることにより、データレジスターから入力されるデジタルデータ信号をアナログデータ信号に変換し出力する出力Ｄ/Ａコンバーター、及び前記出力Ｄ/Ａコンバーターから入力されるアナログデータ信号を前記ＬＣＤパネルのソースラインを駆動するための駆動電圧に変換し出力する出力駆動回路を含む。
【００３０】
また、上記ＬＣＤモジュールのソース駆動集積回路は、前記ガンマバッファーが、 一つ以上のガンマバッファーを有していてもよい。
【００３１】
また、上記ＬＣＤモジュールのソース駆動集積回路は、前記出力Ｄ/Ａコンバーターが、前記バッファーリング自己ガンマ補正電圧及びバッファーリング他ガンマ補正電圧を分配抵抗により電圧分配することにより、分配ガンマ電圧を出力するレジスターアレイ、及び前記分配ガンマ電圧を入力されてスイッチングすることにより、前記デジタルデータ信号を前記アナログデータ信号にそれぞれ変換するスイッチアレイを有するスイッチアレイ部を含んでいてもよい。
【００３２】
また、上記ＬＣＤモジュールのソース駆動集積回路は、前記出力駆動回路が、前記スイッチアレイと１対１対応する多数の出力バッファーを備えて前記スイッチアレイから入力されたアナログデータ信号を前記駆動電圧に変換し出力すべく成してあってもよい。
【００３３】
また、本発明のＬＣＤモジュールのソース駆動集積回路を用いたソース駆動システムは、同一の内部構造を有する第1ソース駆動集積回路チップと第ｎソース駆動集積回路チップとを含むＬＣＤモジュールのソース駆動集積回路を用いたソース駆動システムにおいて、前記第1ソース駆動集積回路チップは、ガンマ補正電圧発生部の一側から入力される自己ガンマ補正電圧をそれぞれバッファーリングしてバッファーリング自己ガンマ補正電圧を前記第1ソース駆動集積回路チップの外部へ出力するガンマバッファー部、前記ガンマ補正電圧発生部の他側から出力される他ガンマ補正電圧に該当するバッファーリング他ガンマ補正電圧と前記バッファーリング自己ガンマ補正電圧を前記第1ソース駆動集積回路チップの外部から入力されることにより、データレジスターから入力されるデジタルデータ信号をアナログデータ信号に変換し出力する出力Ｄ/Ａコンバーター、及び前記出力Ｄ/Ａコンバーターから入力されるアナログデータ信号を前記ＬＣＤパネルのソースラインを駆動するための駆動電圧に変換し出力する出力駆動回路を備える電圧出力部を含み、前記第ｎソース駆動集積回路チップは、前記ガンマ補正電圧発生部の他側から出力される他ガンマ補正電圧をバッファーリングして前記バッファーリング他ガンマ補正電圧を前記第1ソース駆動集積回路チップへ出力するガンマバッファー部、前記第1ソース駆動集積回路チップのバッファーリング自己ガンマ補正電圧と前記第ｎソース駆動集積回路チップの外部へ出力されたバッファーリング他ガンマ補正電圧を入力されることにより、データレジスターから入力されるデジタルデータ信号をアナログデータ信号に変換し出力する出力Ｄ/Ａコンバーター、及び前記出力Ｄ/Ａコンバーターから入力されるアナログデータ信号を前記ＬＣＤパネルのソースラインを駆動するための駆動電圧に変換し出力する出力駆動回路を備える電圧出力部を含む。
【００３４】
また、上記ＬＣＤモジュールのソース駆動集積回路を用いたソース駆動システムは、前記第1ソース駆動集積回路チップのガンマバッファー部が、一つ以上のガンマバッファーを有し、前記ガンマバッファーが前記バッファーリング自己ガンマ補正電圧を出力すべく成してあってもよい。
【００３５】
また、上記ＬＣＤモジュールのソース駆動集積回路を用いたソース駆動システムは、前記第ｎソース駆動集積回路チップのガンマバッファー部が、一つ以上のガンマバッファーを有し、前記ガンマバッファーが前記バッファーリング他ガンマ補正電圧を出力すべく成してあってもよい。
【００３６】
また、本発明のＬＣＤモジュールのソース駆動集積回路を用いたソース駆動システムは、同一の内部構造を有する第1ソース駆動集積回路チップ、第２ソース駆動集積回路チップ、及び第ｎソース駆動集積回路チップを含むＬＣＤモジュールのソース駆動集積回路を用いたソース駆動システムにおいて、前記第1ソース駆動集積回路チップは、ガンマ補正電圧発生部の一側から入力される自己ガンマ補正電圧をそれぞれバッファーリングしてバッファーリング自己ガンマ補正電圧を前記第1ソース駆動集積回路チップの外部へ出力するガンマバッファー部、前記ガンマ補正電圧発生部の他側から出力される他ガンマ補正電圧に該当するバッファーリング他ガンマ補正電圧と前記バッファーリング自己ガンマ補正電圧を前記第1ソース駆動集積回路チップの外部から入力されることにより、データレジスターから入力されるデジタルデータ信号をアナログデータ信号に変換し出力する出力Ｄ/Ａコンバーター、及び前記出力Ｄ/Ａコンバーターから入力されるアナログデータ信号を前記ＬＣＤパネルのソースラインを駆動するための駆動電圧に変換し出力する出力駆動回路を備える電圧出力部を含み、前記第ｎソース駆動集積回路チップは、前記ガンマ補正電圧発生部の他側から出力される他ガンマ補正電圧をバッファーリングして前記バッファーリング他ガンマ補正電圧を前記第1ソース及び第２ソース駆動集積回路チップへ出力するガンマバッファー部、前記第1ソース駆動集積回路チップのバッファーリング自己ガンマ補正電圧と前記第ｎソース駆動集積回路チップの外部から出力されたバッファーリング他ガンマ補正電圧を入力されることにより、データレジスターから入力されるデジタルデータ信号をアナログデータ信号に変換し出力する出力Ｄ/Ａコンバーター、及び前記出力Ｄ/Ａコンバーターから入力されるアナログデータ信号を前記ＬＣＤパネルのソースラインを駆動するための駆動電圧に変換し出力する出力駆動回路を備える電圧出力部を含み、前記第2ソース駆動集積回路チップは、前記第1ソース駆動集積回路チップのバッファーリング自己ガンマ補正電圧と前記第ｎソース駆動集積回路チップのバッファーリング他ガンマ補正電圧を入力されることにより、データレジスターから入力されるデジタルデータ信号をアナログデータ信号に変換し出力する出力Ｄ/Ａコンバーター、及び前記出力Ｄ/Ａコンバーターから入力されるアナログデータ信号を前記ＬＣＤパネルのソースラインを駆動するための駆動電圧に変換し出力する出力駆動回路を備える電圧出力部を含む。
【００３７】
また、上記ＬＣＤモジュールのソース駆動集積回路を用いたソース駆動システムは、前記第2ソース駆動集積回路チップが、一つ以上備えられていてもよい。
【発明の効果】
【００３８】
本発明は一つの特定ガンマ補正電圧に対して一つのガンマバッファーを用いてソース駆動集積回路チップ間の駆動電圧偏差が生じないようにすることにより、画質低下問題を改善することが出来、また多数個のガンマバッファーを備えるガンマバッファー部をソース駆動集積回路チップに内蔵ことにより、ＬＣＤモジュールの部品数を減らすことが出来る。
【発明を実施するための最良の形態】
【００３９】
以下、本発明の実施例によるＬＣＤモジュールのソース駆動集積回路及びこれを用いたソース駆動システムを、添付した図面を参照しながら、詳細に説明する。図9に示すように、本発明が適用されるＬＣＤモジュールは、ソース駆動システム(130)、ソースＰＣＢブロック(200)、ゲート駆動システム(300)、ゲートPCBブロック(400)及びＬＣＤパネル(500)からなる。
【００４０】
前記ソースＰＣＢブロック(200)は、タイミング制御部(210)、電源部(220)及びガンマ補正電圧発生部(230)を含んで構成されている。前記タイミング制御部(210)はＶＧＡボードから伝達された映像信号を各種信号に変換して前記ソース駆動システム(130)及びゲート駆動システム(300)へタイミング制御信号を伝送する。前記電源部(220)は前記ＶＧＡボードから電源を提供されて前記ソース駆動システム(130)、ゲート駆動システム(300)及びタイミング制御部(210)へ供給する。前記ガンマ補正電圧発生部(230)は前記電源部(220)から電源を供給されてガンマ補正電圧を生成して前記ソース駆動システム(130)へ供給する。
【００４１】
そして、前記ＬＣＤパネル(500)は、図示されてないソースライン、ゲートライン及びピクセルを備えて画面をディスプレイする。
【００４２】
前記ソース駆動システム(130)は、前記ソースＰＣＢブロック(200)及びＬＣＤパネル(500)と電気的に連結され、同一の内部構造を有する多数のソース駆動集積回路チップ(130-1〜130-n)を備えて前記ＬＣＤパネル(500)の該当ソースラインを駆動する。前記ゲート駆動システム(300)は前記ゲートPCBブロック(400)及びＬＣＤパネル(500)と電気的に連結され、多数のゲート駆動集積回路チップ(300-1〜300-m)を備えて前記ＬＣＤパネル(500)の該当ゲートラインを駆動する。
【００４３】
図12に示すように、前記ソース駆動システム(130)は、同一の内部構造を有する第1ソース駆動集積回路チップ(130-1)と第ｎソース駆動集積回路チップ(130-n)とを含んで構成される。また、前記ソース駆動システム(130)は、同一の内部構造を有する第1ソース駆動集積回路チップ(130-1)と第2ソース駆動集積回路チップ(130-2)及び第ｎソース駆動集積回路チップ(130-n)とを含んで構成されることも出来る。
【００４４】
ここで、前記第1ソース駆動集積回路チップ(130-1) はガンマ補正電圧、即ち、自己ガンマ補正電圧(Vgma2,Vgma3)及び他ガンマ補正電圧(Vgma1)のうち、前記自己ガンマ補正電圧(Vgma2,Vgma3)を入力されてバッファーリング自己ガンマ補正電圧(Vb-Vgma2,Vgma3)を出力し、これを前記第1ソース駆動集積回路チップ(130-1)の外部配線を経て入力されると共に、前記第2ソース駆動集積回路チップ(130-2)乃至前記第ｎソース駆動集積回路チップ(130-n)へ伝達する。
【００４５】
また、前記第ｎソース駆動集積回路チップ(130-n)は、前記他ガンマ補正電圧(Vgma1)を入力されてバッファーリング他ガンマ補正電圧(Vb-gma1) を出力し、これを前記第ｎソース駆動集積回路チップ(130-n)の外部配線を経て入力されると共に、前記第1ソース駆動集積回路チップ(130-1) 乃至前記第2ソース駆動集積回路チップ(130-2)へ伝達する。
そして、前記第2ソース駆動集積回路チップ(130-2)は、前記第1ソース駆動集積回路チップ(130-1)から出力されたバッファーリング自己ガンマ補正電圧(Vb-gma2,Vb-gma3)と前記第ｎソース駆動集積回路チップ(130-n)から出力されたバッファーリング他ガンマ補正電圧(Vb-gma1)とを入力される。さらに、前記第2ソース駆動集積回路チップ(130-2)と同一の内部構造と動作とを有するソース駆動集積回路チップが、ソース駆動システム(130)内に一つ以上備えられることが出来る。
【００４６】
図10に示すように、前記ソース駆動集積回路チップ(130-1)は制御部(111)、シフトレジスター(112)、データレジスター(113)、２ラインラッチ(114)及び電圧出力部(138)を含んで構成される。
【００４７】
前記制御部(111)は、データスタート信号(EIO1,EIO2)、極性制御信号(POL)、ロード信号(LOAD)、データクロック信号(DCLK)及びダイレクション信号(Lb/R)を入力されてソース駆動集積回路チップ(130-1)全体を制御する。
【００４８】
前記シフトレジスター(112)は、毎クロック周期に全てのビットを一桁を桁移しをする。
【００４９】
前記データレジスター(113)は、リバース信号(REV1,REV2)とデジタルデータ信号(D00〜D55)を入力される。
【００５０】
前記２ラインラッチ(114)は、前記デジタルデータ信号を入力され出力する。
【００５１】
前記電圧出力部(138)は、ガンマ補正電圧発生部(230)の自己ガンマ補正電圧を入力されてバッファーリング自己ガンマ補正電圧を出力し、これを前記第1ソース駆動集積回路チップ(130-1)の外部配線を経て出力Ｄ/Ａコンバーター(115)へ入力すると共に、第2ソース駆動集積回路チップ(130-2)乃至第ｎソース駆動集積回路チップ(130-n)へ伝達する。また、前記電圧出力部(138)は、前記第ｎソース駆動集積回路チップ(130-n)からバッファーリング他ガンマ補正電圧を入力される。
【００５２】
従って、前記電圧出力部(138)は、前記バッファーリング自己ガンマ補正電圧と前記バッファーリング他ガンマ補正電圧及びデジタルデータ信号を入力されて駆動電圧(OUT1〜OUTn)を出力することにより、図9のＬＣＤパネル(500)のソースライン(図示されず)を駆動する。
【００５３】
図11に示すように、前記電圧出力部(138)は、ガンマバッファー部(137)、出力Ｄ/Ａコンバーター(115)及び出力駆動回路(116)からなる。前記ガンマバッファー部(137)は多数のガンマバッファー(117a,117b)を備えて前記ガンマ補正電圧発生部(230)から前記自己ガンマ補正電圧(Vgma2,Vgma3)を供給されてバッファーリングすることにより、該バッファーリング自己ガンマ補正電圧(Vb-gma2,Vb-gma3)を前記第1ソース駆動集積回路チップ(130-1)外部に出力する。図11においては、前記ガンマバッファー部(137)が二つのガンマバッファー(117a,117b)を備えた場合を例示したが、前記ガンマバッファー部(137)が一つ以上のガンマバッファーを備えることが可能であり、備えされたガンマバッファーの中で使用されてない物もありえる。 図11では、説明の便宜上 図10の制御部(111)、シフトレジスター(112)、データレジスター(113)及び2ラインラッチ(114)が図示されてないが、実際には第1ソース駆動集積回路チップ(130-1)に配置されることは自明である。
【００５４】
図12の第ｎソース駆動集積回路チップ(130-n)は、該バッファーリング他ガンマ補正電圧(Vb-gma1)を前記第1, 2, …, (n-1)ソース駆動集積回路チップへ出力する。
【００５５】
前記出力Ｄ/Ａコンバーター(115)は、レジスターアレイ(115a)とスイッチアレイ部(115b)を備える。前記レジスターアレイ(115a)は前記第1ソース駆動集積回路チップ(130-1)外部配線を経て入力される前記バッファーリング自己ガンマ補正電圧(Vb-gma2,Vb-gma3)及びバッファーリング他ガンマ補正電圧(Vb-gma1)を分配抵抗(rl〜r63)により電圧分配することにより、分配ガンマ電圧(V0〜V63)を出力する。前記スイッチアレイ部(115b)は前記分配ガンマ電圧(V0〜V63)を入力されてスイッチングすることにより、前記２ラインラッチ(114)からのデジタルデータ信号をアナログデータ信号にそれぞれ変換するスイッチアレイ(115b-1〜115b-n)を有する。図11及び図12においては、前記分配抵抗が63個である場合を例示したが、前記分配抵抗の個数はこれより増減可能である。
【００５６】
前記出力駆動回路(116)は、前記スイッチアレイ(115b-1〜115b-n)と１対１対応する多数の出力バッファー(116-1〜116-n)を備えて前記スイッチアレイ(115b-1〜115b-n)から入力されたアナログデータ信号を駆動電圧(OUT1〜OUTn)に変換して前記ＬＣＤパネル(500)のソースラインへ出力する。
【００５７】
以下、図12を参照しながら、前記ソース駆動システム(130)の連結関係を具体的な例をあげて説明する。第1ソース駆動集積回路チップ(130-1)と第ｎソース駆動集積回路チップ(130-n)との連結関係を例に挙げる。
【００５８】
図12では、説明の便宜上 図10の制御部(111)、シフトレジスター(112)、データレジスター(113)及び2ラインラッチ(114)が図示されてないが、実際には第1, 2, …, nソース駆動集積回路チップ(130-1〜130-n)にそれぞれ配置されることは自明である
前記ソース駆動システム(130)の外部にあるガンマ補正電圧発生部(230)は電源部(220)から伝達された第1及び第2入力電圧(Vin1,Vin2)をガンマ補正抵抗(R1,R2,R3,R4)により電圧分配された第1、第2及び第3ガンマ補正電圧(Vgma1,Vgma2,Vgma3)を出力する。ガンマ補正抵抗が四つである場合を例示したが、ガンマ補正抵抗の個数はこれより増減することが出来る。
【００５９】
この際、前記第1、第2及び第3ガンマ補正電圧(Vgma1,Vgma2,Vgma3)はそれぞれソース駆動集積回路チップ(130-1〜130-n) へ入力される。即ち、前記第1ガンマ補正電圧(Vgma1)は第ｎソース駆動集積回路チップ(130-n)のガンマバッファー部(137)にある第1ガンマバッファー(117a)へ入力され、前記第2ガンマ補正電圧(Vgma2)は第1ソース駆動集積回路チップ(130-1)のガンマバッファー部(137)にある第1ガンマバッファー(117a)へ入力され、前記第3ガンマ補正電圧(Vgma3)は第1ソース駆動集積回路チップ(130-1)のガンマバッファー部(137)にある第2ガンマバッファー(117b)へ入力される。ここで、前記第1ガンマ補正電圧(Vgma1)は他ガンマ補正電圧であり、前記第2及び第3ガンマ補正電圧（Vgma2,Vgma3）は自己ガンマ補正電圧である。
【００６０】
そして、前記第ｎソース駆動集積回路チップ(130-n)の第1ガンマバッファー(117a)は前記第1ガンマ補正電圧(Vgma1)をバッファーリングして第1バッファーリングガンマ補正電圧(Vb-gma1)を前記第ｎソース駆動集積回路チップ(130-n)の外部配線を経て前記第1ソース駆動集積回路チップ(130-1)のレジスターアレイ(115a)と前記第ｎソース駆動集積回路チップ(130-n)のレジスターアレイ(115a)へ出力する。また、前記第1バッファーリングガンマ補正電圧(Vb-gma1)は、第2ソース駆動集積回路チップ(130-2)のレジスターアレイ(115a)と第3〜第ｎ-1ソース駆動集積回路チップのレジスターアレイへ出力される。
【００６１】
前記第１ソース駆動集積回路チップ(130-1)の第1ガンマバッファー(117a)は前記第２ガンマ補正電圧(Vgma2)をバッファーリングして第２バッファーリングガンマ補正電圧(Vb-gma2)を、前記第１ソース駆動集積回路チップ(130-1)の外部配線を経て前記第1ソース駆動集積回路チップ(130-1)のレジスターアレイ(115a)と前記第ｎソース駆動集積回路チップ(130-n)のレジスターアレイ(115a)とへ出力する。また、前記第2バッファーリングガンマ補正電圧(Vb-gma2)は、第2ソース駆動集積回路チップ(130-2)のレジスターアレイ(115a)と第3〜第n-1ソース駆動集積回路チップのレジスターアレイとへ出力される。
【００６２】
そして、前記第１ソース駆動集積回路チップ(130-1)の第２ガンマバッファー(117b)は、前記第3ガンマ補正電圧(Vgma3)をバッファーリングして第3バッファーリングガンマ補正電圧(Vb-gma3)を、前記第１ソース駆動集積回路チップ(130-1)の外部配線を経て前記第1ソース駆動集積回路チップ(130-1)のレジスターアレイ(115a)と前記第ｎソース駆動集積回路チップ(130-n)のレジスターアレイ(115a)とへ出力する。また、前記第3バッファーリングガンマ補正電圧(Vb-gma3)は第2ソース駆動集積回路チップ(130-2)のレジスターアレイ(115a)と第3〜第ｎ-1ソース駆動集積回路チップのレジスターアレイとへ出力される。
【００６３】
そして、前記第2ソース駆動集積回路チップ(130-2)のレジスターアレイ(115a)は前記第1ソース駆動集積回路チップ(130-1)の第1ガンマバッファー(117a)から第２バッファーリングガンマ補正電圧(Vb-gma2)を入力され、前記第１ソース駆動集積回路チップ(130-1)の第2ガンマバッファー(117b)から第3バッファーリングガンマ補正電圧(Vb-gma3)を入力され、前記第nソース駆動集積回路チップ(130-n)の第1ガンマバッファー(117a)から第1バッファーリングガンマ補正電圧(Vb-gma1)を入力される。同様に、図示されていない第3〜第（n-1）ソース駆動集積回路チップのレジスターアレイも、前記第2ソース駆動集積回路チップ(130-2)のレジスターアレイ(115a)と同様に、第1、第2及び第3バッファーリングガンマ補正電圧(Vb-Vgma1,Vb-Vgma2,Vb-Vgma3)を入力される。ここで、前記第1バッファーリングガンマ補正電圧(Vb-gma1)はバッファーリング他ガンマ補正電圧であり、前記第2及び第3バッファーリングガンマ補正電圧(Vb-gma2,Vb-gma3)はバッファーリング自己ガンマ補正電圧である。
【００６４】
これに従って、前記第1〜第nソース駆動集積回路チップ(130-1〜130-n)のレジスターアレイ(115a)は、前記第1、第2及び第3バッファーリングガンマ補正電圧(Vb-Vgma1,Vb-Vgma2,Vb-Vgma3)を用いて分配ガンマ電圧をスイッチアレイ部(115b)へ並列に供給する。例えば、前記出力Ｄ/Ａコンバーター(115)がｎ−ビット出力Ｄ/Ａコンバーターである場合、2n個の分配ガンマ電圧が前記スイッチアレイ部(115b)へ並列に供給される。この際、前記第1ソース駆動集積回路チップ(130-1)から出力される分配ガンマ電圧(V0〜V63)と前記第nソース駆動集積回路チップ(130-n)から出力される分配ガンマ電圧(V0〜V63)は同一である。また、第2〜第n-1ソース駆動集積回路チップから出力される分配ガンマ電圧も同一である。
【００６５】
そして、前記スイッチアレイ部(115b)のスイッチアレイ(115b-1〜115b-n)は２ラインラッチ(114)から入力されたデジタルデータ信号に従って前記レジスターアレイ(115a)から入力されたガンマ電圧(V0〜V63)のうち、選択された一つの分配ガンマ電圧、即ち、アナログデータ信号を出力駆動回路(116)の出力バッファー(116-1〜116-n)へそれぞれ出力する。以後、前記出力バッファー(116-1〜116-n)が、前記分配ガンマ電圧に対応する駆動電圧(OUT1〜OUTn)をＬＣＤパネル(500)へ出力してＬＣＤパネル(500)のソースラインを駆動する。
【００６６】
一方、図１，２，３及び図４に図示された従来のソース駆動システムの一例において、ガンマバッファー部をそれぞれのソース駆動集積回路チップに内蔵の場合、一つのガンマ補正電圧に対して多数個のソース駆動集積回路チップ毎にそれぞれのガンマバッファーを用いることにより、それぞれのガンマバッファーの特性が一致しないので、ガンマ補正電圧発生部から同一のガンマ補正電圧が入力されても、ガンマバッファーそれぞれの出力間には幾らかの電圧偏差が生じることになり、また、それぞれのソース駆動集積回路チップ間に駆動電圧の偏差が発生されることにより、深刻な画質低下が発生される問題点があった。しかし、本発明のソース駆動システムにおいては、一つの特定ガンマ補正電圧に対して一つのガンマバッファーを用いてソース駆動集積回路チップ間の駆動集積回路チップ間の駆動電圧偏差が発生しないようにすることにより、画質低下問題を改善させることが出来る。
【００６７】
そして、上述した従来のソース駆動システムの一例における駆動電圧偏差による画質低下問題点を除去するために提案されたものとして、図５，６，７及び８に図示された従来のソース駆動システムのもう一つの例において、多数のガンマバッファーを備えるガンマバッファー部を別途の部品で構成して該多数のソース駆動集積回路チップ外部にそれぞれ備えることにより、従来の画質低下問題点を改善したが、反面に別途の部品を用いることにより、組立工程段階が多くなり、不良率が増加し、かつコストアップになるという問題点が発生された。しかし、本発明のソース駆動システムにおいては、多数個のガンマバッファーを備えるガンマバッファー部をソース駆動集積回路チップに内蔵ことにより、ＬＣＤモジュールの部品数を減らすことが出来る。
【００６８】
また、本発明による実施例は上述したものに限定されず本発明と関連して通常の知識を有する者に自明な範囲内で多様な代案、修正及び変形し実施することが出来る。
【産業上の利用可能性】
【００６９】
本発明は、液晶表示装置において産業上の利用可能性がある。
【図面の簡単な説明】
【００７０】
【図１】従来のＬＣＤ(Liquid Crystal Display)モジュールの一例を示したブロック図である。
【図２】図1に示されたＬＣＤモジュールのソース駆動集積回路チップを示した図面である。
【図３】図2に示されたソース駆動集積回路チップの電圧出力部を示した詳細回路図である。
【図４】図1のガンマ補正電圧発生部とソース駆動システムの一例との連結関係を示した詳細回路図である。
【図５】従来のＬＣＤモジュールの他の構成を示した図面である。
【図６】図5に図示されたＬＣＤモジュールのソース駆動集積回路チップを示した詳細回路図である。
【図７】図6に図示されたソース駆動集積回路チップの電圧出力部を示した詳細回路図である。
【図８】図5のガンマ補正電圧発生部とソース駆動システムのもう一つの例との連結関係を示した詳細回路図である。
【図９】本発明によるソ−ス駆動システムに適用されるＬＣＤモジュールを示した図面である。
【図１０】図9に図示されたＬＣＤモジュールにおける本発明の実施例によるソース駆動集積回路チップを示した詳細回路図である。
【図１１】図10に図示されたソース駆動集積回路チップの電圧出力部を示した詳細回路図である。
【図１２】図9のガンマ補正電圧発生部と本発明の実施例によるソース駆動システムとの連結関係を示した詳細回路図である。
【符号の説明】
【００７１】
130     ソース駆動システム
130-1〜130-n    ソース駆動集積回路チップ
115     出力Ｄ/Ａコンバーター
115a    レジスターアレイ
115b    スイッチアレイ部
116     出力駆動回路
137     ガンマバッファー部
138     電圧出力部
【図１】
2005345808.tif 000003
【図２】
2005345808.tif 000004
【図３】
2005345808.tif 000005
【図４】
2005345808.tif 000006
【図５】
2005345808.tif 000007
【図６】
2005345808.tif 000008
【図７】
2005345808.tif 000009
【図８】
2005345808.tif 000010
【図９】
2005345808.tif 000011
【図１０】
2005345808.tif 000012
【図１１】
2005345808.tif 000013
【図１２】
2005345808.tif 000014